(57)【要約】【課題】漏電ブレーカを作動させることなく測定対象体の外装と電源線との間の漏れ電流を容易に測定し得る漏れ電流測定装置を提供する。【解決手段】交流電源線のいずれか１線と測定対象体Ｘの外装との両者間に模擬人体インピーダンス回路１１を接続して模擬人体インピーダンス回路１１内の模擬人体インピーダンスを流れる電流値を模擬人体インピーダンスの電流検出用抵抗に発生する電圧の値およびその電流検出用抵抗の値に基づいて漏れ電流として測定する測定部（電圧検出部１２、Ａ／Ｄ変換部１３および制御部１９）を備え、交流電源線のいずれか１線と測定対象体Ｘの外装との間に直列接続される電流制限用の抵抗Ｒと、抵抗Ｒを直列接続した状態において模擬人体インピーダンスを流れる電流値が所定電流値以下のときに抵抗Ｒを等価的に短絡した状態で測定部に対して漏れ電流を測定させる制御部１９とを備えている。【選択図】　　　　図１
2004138565.tif 000002
【特許請求の範囲】
【請求項１】
交流電源線のいずれか１線と測定対象体の外装との両者間に電流検出用インピーダンスを接続して当該電流検出用インピーダンスを流れる電流値を当該電流検出用インピーダンスの電流検出用抵抗に発生する電圧の値およびその電流検出用抵抗の値に基づいて漏れ電流として測定する測定部を備えている漏れ電流測定装置であって、
前記両者間に直列接続される電流制限抵抗と、
当該電流制限抵抗を前記両者間に直列接続した状態において前記電流検出用インピーダンスを流れる電流値が所定電流値以下のときに当該電流制限抵抗を等価的に短絡した状態で前記測定部に対して前記漏れ電流を測定させる制御部とを備えている漏れ電流測定装置。
【請求項２】
前記制御部は、前記電流制限抵抗を前記両者間に直列接続した状態において前記電流検出用インピーダンスを流れる電流値が前記所定電流値を超えるときに前記外装の接地を報知する請求項１記載の漏れ電流測定装置。
【請求項３】
前記制御部は、前記外装の接地を報知すると共に前記漏れ電流の測定を終了する請求項２記載の漏れ電流測定装置。
【請求項４】
一端側が前記外装に接続されると共に他端側が前記電流検出用インピーダンスに接続される測定用ケーブルと、前記１線および前記測定用ケーブルの間のいずれかの箇所を接続または切断するスイッチ回路とを備え、
前記制御部は、前記スイッチ回路による前記箇所の接続に先立って当該接続の旨を表示部に表示させた後に、接続指示が入力されたときに当該スイッチ回路に対して前記箇所を接続させる請求項１から３のいずれかに記載の漏れ電流測定装置。
【請求項５】
前記制御部は、前記スイッチ回路に対して前記箇所を接続させているときに、注意喚起用の表示および警報の少なくとも一方を実行する請求項４記載の漏れ電流測定装置。
【発明の詳細な説明】
【０００１】
【発明の属する技術分野】
本発明は、測定対象体における漏れ電流を測定可能に構成された漏れ電流測定装置に関するものである。
【０００２】
【従来の技術】
例えば「電気用品安全法における電気用品の技術上の基準を定める省令の取扱細則」や「ＩＥＣ６０３３５−１：１９９４の国際標準規格」では、電気用品（測定対象体）に接続される２本の交流電源線（以下、「電源線」ともいう）のうちのいずれか１本と電気用品の外装（露出充電部）との間の漏れ電流を測定する旨が指示されている。この種の漏れ電流を測定可能な漏れ電流測定装置として、出願人は、特開平１０−２４６６４５号公報に漏れ電流計（１）を開示した。この漏れ電流計は、条件設定部（２）、測定部（３）、Ａ／Ｄ変換部（４）、ＣＰＵ（５）、ＲＡＭ（６）、ＲＯＭ（７）、ＬＣＤコントローラ（８）、ＶＲＡＭ（９）、ＬＣＤ（１０）および設定キー（１１）などを備えている。この場合、測定部は、一例として１ｋΩ程度の電流検出用インピーダンス（模擬人体インピーダンス）を備え、この電流検出用インピーダンスに漏れ電流が流れた際に発生する電圧値と、電流検出用インピーダンスにおける電流検出用抵抗の値とに基づいて、その漏れ電流の電流値を演算（測定）する。
【０００３】
この漏れ電流計を用いて上記の漏れ電流を測定する際には、まず、測定部の電流検出用インピーダンスの一端と測定対象体の外装とを測定用ケーブルを介して接続する。次に、いずれか一方の電源線を電流検出用インピーダンスの他端に接続させる。この際に、ＣＰＵは、測定部に対して測定用ケーブルを介して電流検出用インピーダンスに流れる電流を漏れ電流として測定させ、その測定値が所定の許容値内に入っているか否かを判別する。次いで、測定値が許容値内と判別したときには、ＣＰＵは、その測定値をＬＣＤコントローラに対してＬＣＤに表示させる。これにより、２本の電源線のうちのいずれか一方と電気用品の外装との間を流れる漏れ電流の測定が完了し、両者間の絶縁性を確認することが可能となる。
【０００４】
【特許文献１】
特開平１０−２４６６４５号公報（第４−６頁）
【０００５】
【発明が解決しようとする課題】
ところが、この漏れ電流計には、以下の改善すべき課題がある。すなわち、この漏れ電流計では、いずれか他方の電源線と測定対象体の外装との間に電流検出用インピーダンスを接続することにより、電流検出用インピーダンスを介していずれか他方の電源線と外装とを短絡した状態で、電流検出用インピーダンスを流れる電流値を漏れ電流として測定している。この場合、測定対象体の外装が接地（接地線に接続されている状態）され、かつ電源線が一般的な片線接地方式のときには、条件設定部が電流検出用インピーダンスをいずれか他方の電源線に接続した際に、外装の接地に起因して大きな電流（一例として、電源が１００Ｖのときには、１００Ｖ／１ｋΩ＝約１００ｍＡ）が流れる。この際には、電源系統に装備されている漏電ブレーカが作動して周辺の電源を落とすおそれがある。このため、この漏れ電流計を用いて電源線と測定対象体の外装との間の漏れ電流を測定する際には、測定開始に先立って例えばサーキットテスタ等を用いて測定対象体の外装が接地されているか否かを調査する必要がある。したがって、事前の調査を含む一連の測定作業に手間を要するため、これを改善するのが好ましい。
【０００６】
本発明は、かかる改善すべき課題に鑑みてなされたものであり、漏電ブレーカを作動させることなく測定対象体の外装と電源線との間の漏れ電流を容易に測定し得る漏れ電流測定装置を提供することを主目的とする。
【０００７】
【課題を解決するための手段】
上記目的を達成すべく請求項１記載の漏れ電流測定装置は、交流電源線のいずれか１線と測定対象体の外装との両者間に電流検出用インピーダンスを接続して当該電流検出用インピーダンスを流れる電流値を当該電流検出用インピーダンスの電流検出用抵抗に発生する電圧の値およびその電流検出用抵抗の値に基づいて漏れ電流として測定する測定部を備えている漏れ電流測定装置であって、前記両者間に直列接続される電流制限抵抗と、当該電流制限抵抗を前記両者間に直列接続した状態において前記電流検出用インピーダンスを流れる電流値が所定電流値以下のときに当該電流制限抵抗を等価的に短絡した状態で前記測定部に対して前記漏れ電流を測定させる制御部とを備えている。
【０００８】
また、請求項２記載の漏れ電流測定装置は、請求項１記載の漏れ電流測定装置において、前記制御部は、前記電流制限抵抗を前記両者間に直列接続した状態において前記電流検出用インピーダンスを流れる電流値が前記所定電流値を超えるときに前記外装の接地を報知する。
【０００９】
さらに、請求項３記載の漏れ電流測定装置は、請求項２記載の漏れ電流測定装置において、前記制御部は、前記外装の接地を報知すると共に前記漏れ電流の測定を終了する。
【００１０】
また、請求項４記載の漏れ電流測定装置は、請求項１から３のいずれかに記載の漏れ電流測定装置において、一端側が前記外装に接続されると共に他端側が前記電流検出用インピーダンスに接続される測定用ケーブルと、前記１線および前記測定用ケーブルの間のいずれかの箇所を接続または切断するスイッチ回路とを備え、前記制御部は、前記スイッチ回路による前記箇所の接続に先立って当該接続の旨を表示部に表示させた後に、接続指示が入力されたときに当該スイッチ回路に対して前記箇所を接続させる。
【００１１】
さらに、請求項５記載の漏れ電流測定装置は、請求項４記載の漏れ電流測定装置において、前記制御部は、前記スイッチ回路に対して前記箇所を接続させているときに、注意喚起用の表示および警報の少なくとも一方を実行する。
【００１２】
【発明の実施の形態】
以下、添付図面を参照して、本発明に係る漏れ電流測定装置の好適な実施の形態について説明する。
【００１３】
最初に、漏れ電流測定装置１の構成について、図面を参照して説明する。
【００１４】
漏れ電流測定装置１は、図１に示すように、模擬人体インピーダンス回路１１、電圧検出部１２、Ａ／Ｄ変換部１３、各々の先端部にプローブがそれぞれ接続された測定用ケーブル１４ａ，１４ｂ、電流制限抵抗接続部１５、スイッチ回路１６ａ，１６ｂ、操作部１７、表示部１８、制御部１９、ＲＯＭ２０、ＲＡＭ２１およびＲＯＭ２２を備え、測定対象体Ｘについての漏れ電流を測定可能に構成されている。この場合、模擬人体インピーダンス回路１１は、例えば、複数の電流検出用抵抗と、複数の容量性素子と、これらの各素子の接続状態を切り替えるための複数のリレーとを備え（いずれも図示せず）、制御部１９によって各リレーがオン／オフ制御されることにより、各種の規格に規定された複数種類の模擬人体インピーダンス（電流検出用インピーダンス）を形成可能に構成されている。
【００１５】
電圧検出部１２は、一例として、模擬人体インピーダンス回路１１内の模擬人体インピーダンスに漏れ電流が流れることによって発生した電圧を所定の比率で増幅または減衰させることによって検出電圧を生成するレンジ回路と、検出電圧を検波することによって直流電圧を生成してＡ／Ｄ変換部１３に出力する検波回路とを備えている（いずれも図示せず）。また、電圧検出部１２は、Ａ／Ｄ変換部１３および制御部１９と相俟って本発明における測定部を構成し、例えば、測定対象体Ｘの外装（例えば露出充電部）と電源線（ＬまたはＮ）との間に接続される模擬人体インピーダンス回路１１内の模擬人体インピーダンスにおける電流検出用抵抗の両端に発生する電圧を検出する。具体的には、例えば、前述した電気用品安全法に規定されている外装漏れ電流を測定する際には、測定用ケーブル１４ｂを測定対象体Ｘの外装（金属等の筐体部分）に接続する。この場合、測定対象体Ｘ内で電源線（例えばＮとする）と外装との間に絶縁不良が生じているときには、測定対象体Ｘの外装と電源線（この例ではＬ）との間に接続されている模擬人体インピーダンスの電流検出用抵抗に漏れ電流が流れて電圧が発生する。したがって、電圧検出部１２は、この絶縁不良に起因する漏れ電流を測定するための電圧を検出する。
【００１６】
Ａ／Ｄ変換部１３は、電圧検出部１２によって出力される直流電圧の電圧値をアナログ−ディジタル変換して制御部１９に出力する。電流制限抵抗接続部１５は、本発明における電流制限抵抗に相当し電源線（Ｌ，Ｎ）のいずれか１線と測定対象体Ｘの外装との間に直列接続される抵抗Ｒと、制御部１９の制御に従って抵抗Ｒに電源線Ｌまたは電源線Ｎを接続するスイッチＳ１，Ｓ２と、抵抗Ｒの両端を短絡するスイッチＳ３とを備えている。この場合、抵抗Ｒとしては、一例として１０２ｋΩ程度の抵抗が採用されている。スイッチ回路１６ａ，１６ｂは、制御部１９の制御下で測定用ケーブル１４ａ，１４ｂを模擬人体インピーダンス回路１１に接続するスイッチＳ４，Ｓ５をそれぞれ備えている。操作部１７は、後述する各種表示画面などでカーソルを上下左右に移動させるためのカーソル移動キーや、ＯＫボタンおよびキャンセルボタンなどの複数の操作ボタンを備えて構成されている。表示部１８は、一例として液晶パネルで構成され、制御部１９の制御下で図２〜図５に示す報知用画面３１〜３４や測定結果表示用画面（図示せず）などを表示する。
【００１７】
制御部１９は、本発明における制御部に相当すると共に前述したように電圧検出部１２およびＡ／Ｄ変換部１３と相俟って本発明における測定部を構成し、模擬人体インピーダンス回路１１の各リレーをオン／オフ制御すると共にスイッチＳ１〜Ｓ５をオン／オフ制御する。また、制御部１９は、Ａ／Ｄ変換部１３によって変換された電圧値と模擬人体インピーダンス回路１１における電流検出用抵抗の値とに基づいて漏れ電流値を演算（測定）すると共に表示部１８の表示を制御する。ＲＯＭ２０は、ＥＰＲＯＭ等の不揮発性メモリで構成されて、漏れ電流の測定に関する測定条件の内容を示す測定条件データを記憶する。ＲＡＭ２１は、制御部１９の演算結果などを一時的に記憶し、ＲＯＭ２２は、制御部１９の動作プログラムなどを記憶する。
【００１８】
次に、漏れ電流測定装置１の使用方法について、図面を参照して説明する。
【００１９】
まず、漏れ電流測定装置１と測定対象体Ｘとを電源線（Ｌ，Ｎ）、接地線（Ｇ）および測定用ケーブル１４ａ，１４ｂによって接続した後に、漏れ電流測定処理を実行する。この際に、電気用品安全法に規定されている漏れ電流の測定のみを実施するときには、測定用ケーブル１４ｂのみを測定対象体Ｘの外装に接続する。この場合、測定用ケーブル１４ｂは、本発明における一端側が測定対象体Ｘの外装に接続され、他端側が模擬人体インピーダンス回路１１内の模擬人体インピーダンスに接続される測定用ケーブルに相当する。次に、操作部１７を操作することによって測定処理を開始する。この際に、制御部１９が、まず、スイッチＳ１〜Ｓ５のオン／オフを制御する。具体的には、制御部１９は、スイッチＳ１，Ｓ２のいずれか一方をオン状態に制御して、かつスイッチＳ１，Ｓ２のいずれか他方と、スイッチＳ３〜Ｓ５とをそれぞれオフ状態に制御する。この場合、電源線Ｎと外装との間の漏れ電流を測定するときには、制御部１９は、スイッチＳ１をオン状態に制御し、電源線Ｌと外装との間の漏れ電流を測定するときには、スイッチＳ２をオン状態に制御する。ここでは、一例として、スイッチＳ１をオン状態に制御すると共にスイッチＳ２をオフ状態に制御して電源線Ｎと外装との間の漏れ電流を測定するものとする。
【００２０】
次に、制御部１９は、模擬人体インピーダンス回路１１における各リレーのオン／オフを制御することにより、模擬人体インピーダンス回路１１内に例えば１ｋΩの模擬人体インピーダンスを形成する。次いで、制御部１９は、図２に示すように、電源線Ｌと測定用ケーブル１４ｂとを接続する旨を報知する報知用画面３１を表示部１８に表示させる。この場合、同図に示すように、報知用画面３１には、「測定対象機器の状態をチェックします！（測定用ケーブルの接続）」とのメッセージ（本発明における「接続の旨」の一表示例）と、「ＯＫボタンを操作して下さい。」とのメッセージとが表示される。続いて、制御部１９は、オペレータによってＯＫボタンが操作されたとき（本発明における「接続指示が入力されたとき」）に、スイッチＳ５をオン状態に制御する。これにより、電源線Ｌと測定対象体Ｘの外装とが、スイッチＳ５によってその間の一部位（本発明におけるいずれかの箇所）が接続されることで、スイッチＳ１、抵抗Ｒ、模擬人体インピーダンス回路１１内の模擬人体インピーダンス（電流検出用抵抗を含む）、スイッチＳ５および測定用ケーブル１４ｂを介して接続される。この際に、制御部１９は、図３に示すように、電源線Ｌと測定用ケーブル１４ｂとを接続している旨を報知する報知用画面３２を表示部１８に表示させる。この場合、同図に示すように、報知用画面３２には、「測定対象機器の状態をチェックしています。」というメッセージと、「測定対象機器および測定用ケーブルに手を触れないで下さい」とのコーションメッセージ（本発明における「注意喚起用の表示」の一例）とが表示される。同時に、制御部１９は、図外のスピーカに対して警告音を放音させる（本発明における「注意喚起用の警報」）。
【００２１】
次に、制御部１９は、スイッチＳ５をオン状態に制御した後に、予め設定されている待機時間（一例として１０秒）を経過したときに漏れ電流を測定する。この際に、電圧検出部１２内のレンジ回路が、模擬人体インピーダンス回路１１内の模擬人体インピーダンスにおける電流検出用抵抗に発生した電圧を検出電圧に変換し、検波回路が、その検出電圧を整流して直流電圧を生成してＡ／Ｄ変換部１３に出力する。また、Ａ／Ｄ変換部１３が、電圧検出部１２によって出力される直流電圧の電圧値をアナログ−ディジタル変換して制御部１９に出力する。これに応じて、制御部１９は、Ａ／Ｄ変換部１３によって出力された電圧値に基づいて模擬人体インピーダンス回路１１内の電流検出用抵抗を流れる電流値を演算すると共に、その演算結果をＲＡＭ２１に記憶させる。この際に、この漏れ電流測定装置１では、測定対象体Ｘの外装が接地されていたとしても、その接地に起因する大電流が流れるのをこの抵抗Ｒによって制限されている。具体的には、日本国内の一般的な商用交流電源の１００Ｖを例に挙げると、たとえ接地されていたとしても、その接地に起因して流れる電流が約１ｍＡ（１００Ｖ／１０３ｋΩ）以下に制限される。この場合、一般的には、漏電ブレーカの遮断しきい値が６〜１０ｍＡの範囲内であるため、接地に起因して流れる電流を抵抗Ｒによって電流制限することで漏電ブレーカの作動が確実に回避される。
【００２２】
次いで、制御部１９は、演算結果をＲＡＭ２１に記憶させた後に、スイッチＳ５をオフ状態に制御すると共に、スピーカからの警告音の放音を停止させる。次に、制御部１９は、ＲＡＭ２１に記憶されている演算結果に基づいて、測定対象体Ｘの外装が接地されているか否かを判別する。具体的には、一般的に、電源線（この例ではＮ）と測定対象体Ｘの外装との間の絶縁に関しては、その絶縁抵抗が約１００ｋΩ以上のときに正常状態とされる。したがって、制御部１９は、演算結果が０．５ｍＡ（本発明における所定電流値の一例）以下のときには外装が接地されていないと判別し、０．５ｍＡを超えるときには外装が接地されていると判別する。この際に、測定対象体Ｘの外装が接地されていないと判別したときには、図４に示すように、制御部１９は、外装が接地されていない旨と漏れ電流の測定を開始する旨とを報知する報知用画面３３を表示部１８に表示させる（図示せず）。この後、オペレータによってＯＫボタンが操作されたときには、制御部１９は、スイッチＳ３をオン状態に制御することによって抵抗Ｒの両端を短絡すると共にスイッチＳ５をオン状態に制御して、模擬人体インピーダンス回路１１内の電流検出用抵抗を流れる電流値を漏れ電流として測定して、その測定結果を表示部１８に表示させる。これにより、電源線Ｌと測定対象体Ｘの外装との間を流れる漏れ電流の測定が完了し、この結果、電源線Ｎと測定対象体Ｘの外装との間の絶縁性が検査される。
【００２３】
一方、抵抗Ｒを接続した状態で測定された電流値が０．５ｍＡ以上のとき（測定対象体Ｘの外装が接地されていると判別したとき）には、図５に示すように、制御部１９は、外装が接地されている旨を報知する報知用画面３４を表示部１８に表示させる。この場合、同図に示すように、報知用画面３４には、「測定対象機器の外装が接地されています。」とのメッセージと、「アース線等を取り外した後に再び測定を開始して下さい（測定を終了します！）」とのメッセージとが表示される。この際に、制御部１９は、漏れ電流の測定を終了して、表示部１８に報知用画面３１を再び表示させる。この際に、オペレータによってアース線等が取り外された後にＯＫボタンが操作されたときには、制御部１９は、前述したように抵抗Ｒを接続した状態（スイッチＳ３をオフ状態に制御した状態）で電流値を測定し、測定結果に応じて上記の各処理を実行する。
【００２４】
このように、この漏れ電流測定装置１によれば、電源線Ｌまたは電源線Ｎのいずれか１線と模擬人体インピーダンス回路１１との両者間に抵抗Ｒ（電流制限抵抗）を接続した状態において模擬人体インピーダンス回路１１を流れる電流が所定電流値（この場合、一例として０．５ｍＡ）以下のときにスイッチＳ３によって抵抗Ｒの両端を短絡した状態で制御部１９が漏れ電流を測定することにより、外装の接地によって大きな電流が流れることに起因する漏電ブレーカの作動を回避することができる結果、周辺において電源が落ちるのを確実に回避することができる。また、テスタ等を用いて測定開始に先立って測定対象体Ｘにおける外装の接地有無を調査することなく、電源線と測定対象体Ｘの外装との間の漏れ電流を容易に測定することもできる。
【００２５】
また、この漏れ電流測定装置１によれば、電源線Ｌまたは電源線Ｎのいずれか１線と模擬人体インピーダンス回路１１との間に抵抗Ｒを接続した状態において模擬人体インピーダンス回路１１を流れる電流が所定電流値を超えるとき（この場合、一例として０．５ｍＡを超えるとき）に制御部１９が表示部１８に報知用画面３４を表示させて外装の接地を報知することにより、オペレータに外装の接地を確実に認識させることができる。
【００２６】
さらに、この漏れ電流測定装置１によれば、制御部１９が外装の接地を報知する際に漏れ電流の測定を終了することにより、無駄な測定を回避することができる結果、測定効率の向上を図ることができる。
【００２７】
また、この漏れ電流測定装置１によれば、制御部１９がスイッチ回路１６ｂによる電源線および測定用ケーブル１４ｂの間のいずれかの箇所の接続に先立って報知用画面３１を表示部１８に表示させることによって接続の旨を表示させた後に、接続指示が入力されたとき（ＯＫボタンが操作されたとき）にスイッチ回路１６ｂに対して電源線および測定用ケーブル１４ｂの間の上記箇所を接続させることにより、測定処理に不慣れなオペレータに対しても測定用ケーブル１４ｂおよび測定対象体Ｘの外装に高い電圧が印加される旨を認識させることができるため、注意を十分に喚起させつつ測定を行わせることができる。したがって、測定時における安全性を高めることができる。特に、測定用ケーブル１４ｂの先端部に取り付けられたプローブを手に持って測定対象体Ｘの外装に接続する際には十分な注意を払う必要があるため、極めて有効な安全対策が提供される。
【００２８】
さらに、この漏れ電流測定装置１によれば、制御部１９がスイッチ回路１６ｂに対して電源線および測定用ケーブル１４ｂの間を接続させているときに、表示部１８に報知用画面３２（注意喚起用の表示）を表示させると共にスピーカから警告音（警報）を放音させることにより、測定用ケーブル１４ｂおよび測定対象体Ｘの外装に高い電圧が印加されている旨を確実に認識させることができるため、注意を一層喚起させつつ測定を行わせることができる。
【００２９】
なお、本発明は、上記した本発明の実施の形態に示した構成に限定されない。例えば、上記の漏れ電流測定処理では、抵抗値が１０２ｋΩの抵抗Ｒを電流制限抵抗として使用した例を説明したが、本発明における電流制限抵抗の抵抗値はこれに限定されず、模擬人体インピーダンス回路１１内の電流検出用抵抗と相俟って漏電ブレーカ等の作動を回避可能な任意の抵抗値の抵抗を採用することができる。また、本発明の実施の形態では、スイッチＳ５による電源線と測定用ケーブル１４ｂとの接続時において表示部１８に報知用画面３２を表示させると共にスピーカから警告音を放音する構成を例に挙げて説明したが、本発明はこれに限定されず、報知用画面３２以外の各種のメッセージを表示する報知用画面の表示による報知、警告ランプの点灯または点滅による報知、および音声メッセージによる報知等の各種の報知方法を実行可能な構成を採用することができる。また、本発明における「電流制限抵抗を等価的に短絡する」手段としては、抵抗Ｒの両端を短絡する構成に限らず、電源線のいずれか１線と測定対象体Ｘの外装との両者間から抵抗Ｒを取り外して、それに代えて短絡経路を形成する構成を採用することもできる。さらに、単相商用交流用の測定対象体Ｘについて漏れ電流を測定する例について説明したが、三相商用交流用の測定対象体について漏れ電流を測定する漏れ電流測定装置に本発明を適用可能なことは勿論である。
【００３０】
【発明の効果】
以上のように、請求項１記載の漏れ電流測定装置によれば、交流電源線のいずれか１線と測定対象体の外装との間に電流制限抵抗を直列接続した状態において電流検出用インピーダンスの電流検出用抵抗を流れる電流値が所定電流値以下のときに電流制限抵抗を等価的に短絡した状態で測定部に対して漏れ電流を測定させることにより、外装の接地によって大きな電流が流れることに起因する漏電ブレーカの作動を回避することができる結果、周辺において電源が落ちるのを確実に回避することができる。また、テスタ等を用いて測定開始に先立って測定対象体における外装の接地有無を調査することなく、電源線と測定対象体の外装との間の漏れ電流を容易に測定することもできる。
【００３１】
また、請求項２記載の漏れ電流測定装置によれば、電流制限抵抗を両者間に直列接続した状態において電流検出用インピーダンスを流れる電流値が所定電流値を超えるときに制御部が外装の接地を報知することにより、オペレータに外装の接地を確実に認識させることができる。
【００３２】
さらに、請求項３記載の漏れ電流測定装置によれば、制御部が外装の接地を報知すると共に漏れ電流の測定を終了することにより、無駄な測定を回避することができる結果、測定効率の向上を図ることができる。
【００３３】
また、請求項４記載の漏れ電流測定装置によれば、制御部がスイッチ回路による１線および測定用ケーブルの間のいずれかの箇所の接続に先立って接続の旨を表示部に表示させた後に、接続指示が入力されたときにスイッチ回路に対して箇所を接続させることにより、測定処理に不慣れなオペレータに対しても測定用ケーブルおよび測定対象体の外装に高い電圧が印加される旨を認識させることができるため、注意を十分に喚起させつつ測定を行わせることができる。したがって、測定時における安全性を高めることができる。特に、測定用ケーブルの先端部に取り付けられたプローブ等を手に持って測定対象体の外装などに接続する際には、十分な注意を払う必要があるため、極めて有効な安全対策が提供される。
【００３４】
さらに、請求項５記載の漏れ電流測定装置によれば、制御部がスイッチ回路に対して箇所を接続させているときに、注意喚起用の表示および警報の少なくとも一方を実行することにより、測定用ケーブルおよび測定対象体の外装に高い電圧が印加されている旨を確実に認識させることができるため、注意を一層喚起させつつ測定を行わせることができる。
【図面の簡単な説明】
【図１】本発明の実施の形態に係る漏れ電流測定装置１の構成を示すブロック図である。
【図２】漏れ電流測定装置１の表示部１８に表示される報知用画面３１の表示画面図である。
【図３】漏れ電流測定装置１の表示部１８に表示される報知用画面３２の表示画面図である。
【図４】漏れ電流測定装置１の表示部１８に表示される報知用画面３３の表示画面図である。
【図５】漏れ電流測定装置１の表示部１８に表示される報知用画面３４の表示画面図である。
【符号の説明】
１　漏れ電流測定装置
１１　模擬人体インピーダンス回路
１２　電圧検出部
１３　Ａ／Ｄ変換部
１４ａ，１４ｂ　測定用ケーブル
１５　電流制限抵抗接続部
１６ａ，１６ｂ　スイッチ回路
１７　操作部
１８　表示部
１９　制御部
３１〜３４　報知用画面
Ｒ　抵抗
Ｓ１〜Ｓ５　スイッチ
Ｘ　測定対象体
【図１】
2004138565.tif 000003
【図２】
2004138565.tif 000004
【図３】
2004138565.tif 000005
【図４】
2004138565.tif 000006
【図５】
2004138565.tif 000007